(57)【要約】  排熱通路囲い込みシステムは、等幅の２列の小部屋または幅が６００ｍｍと７００ｍｍと８００ｍｍと多様な２列の小部屋に装着される。排熱通路囲い込みシステムは、小部屋列両端のドア組立体と、小部屋とドアフレームとに装着されて天井を支える垂直パネルと、排熱通路を跨ぐＴ形横材と、天井パネルとを含んでいる。排熱通路囲い込み装置に、等幅または多様な幅の追加の小部屋を追加することができる。
2013526779.tif 000002
【特許請求の範囲】
【請求項１】
排熱通路囲い込みシステムであって、
第１の列とこの第１の列に対向して中間に排熱通路を画成する第２の列とに配置される複数の小部屋と、
小部屋の頂部に固定される複数の垂直パネルであって、固定下側パネルと伸縮式上側パネルとを含む前記垂直パネルと、
前記小部屋の一端に固定され、排熱通路を横断して延在するドア組立体とを備える、排熱通路囲い込みシステム。
【請求項２】
前記上側パネルは、排熱通路囲い込みシステムを封止する頂部ガスケットを部屋天井に含む、請求項１に記載の排熱通路囲い込みシステム。
【請求項３】
前記下側パネルは、隣接する下側パネルを互いに接合する少なくとも１つの装着タブを含む、請求項１に記載の排熱通路囲い込みシステム。
【請求項４】
前記上側パネルは、隣接する上側パネルを互いに接合する編成ブラケットを含む、請求項１に記載の排熱通路囲い込みシステム。
【請求項５】
前記下側パネルは、前記上側パネルを受け止めるキャビティを形成するフランジを有する側面を含む、請求項１に記載の排熱通路囲い込みシステム。
【請求項６】
前記上側パネルは、ガスケット付き側面を含む、請求項５に記載の排熱通路囲い込みシステム。
【請求項７】
前記上側パネルの側面上のガスケットは、前記下側パネルのキャビティ内で圧縮される、請求項６に記載の排熱通路囲い込みシステム。
【請求項８】
前記下側パネルの側面はガスケットを含む、請求項５に記載の排熱通路囲い込みシステム。
【請求項９】
前記下側パネルのフランジは、上側パネルをキャビティ内に誘導する襞付きエッジを含む、請求項５に記載の排熱通路囲い込みシステム。
【請求項１０】
前記下側パネルは、上側パネルを延出位置に固定するロック組立体を含む、請求項１に記載の排熱通路囲い込みシステム。
【請求項１１】
前記ロック組立体は、チャネルと、歯と封鎖レバーとを有する爪レバーとを含む、請求項１０に記載の排熱通路囲い込みシステム。
【請求項１２】
前記上側パネルは前記チャネル内に摺動可能に受容される偏平バーをさらに備え、かくして前記爪レバー上の歯が偏平バーに係合して該偏平バーを前記チャネル内に固定するとともに前記上側パネルを延出位置に固定する、請求項１１に記載の排熱通路囲い込みシステム。
【請求項１３】
前記下側パネルは、スロット付きのフランジを有する側面を含んでおり、前記上側パネルはスロット付きのフランジを有する側面を含んでおり、前記下側パネルの側面が前記上側パネルの側面を受け止め、
前記ロック組立体は、前記下側パネルのフランジ内のスロットを挿通するボルトと、前記上側パネルのフランジ内にあって前記上側パネルを延出位置に固定するスロットとを含む、請求項１０に記載の排熱通路囲い込みシステム。
【請求項１４】
前記垂直パネルはドア組立体の上方に装着される、請求項１に記載の排熱通路囲い込みシステム。
【発明の詳細な説明】
【技術分野】
【０００１】
本発明は、排熱通路囲い込みシステムに関する。より具体的には、本発明は等幅の２列の小部屋または幅が６００ｍｍと７００ｍｍと８００ｍｍと多様な２列の小部屋に装着する排熱通路囲い込みシステムに関する。
【発明の概要】
【０００２】
本発明は、排熱通路囲い込みシステムに関する。排熱通路囲い込みシステムは、複数の小部屋と複数の垂直パネルとドア組立体とを含んでいる。小部屋は、第１の列とこの第１の列に対向して中間に排熱通路を画成する第２の列とに配置される。垂直パネルは、固定下側パネルと伸縮式上側パネルとを含んでいる。下側パネルは小部屋の頂部に固定され、伸縮式上側パネルは下側パネルから部屋天井まで延在する。ドア組立体は小部屋の一端に固定され、排熱通路を横断して延在する。
【図面の簡単な説明】
【０００３】
【図１】本発明の一実施形態になる排熱通路囲い込みシステムの斜視図である。
【図２】図１の排熱通路囲い込みシステムの一部分解斜視図である。
【図３】図１の排熱通路囲い込みシステム用の小部屋垂直パネルの斜視図である。
【図４】図１の排熱通路囲い込みシステム用の代替的な小部屋垂直パネルの斜視図である。
【図５】小部屋垂直パネルに直角スペーサバーを装着する前の図３の小部屋垂直パネルの斜視図である。
【図６】小部屋垂直パネルに直角スペーサバーを装着した後の図３の小部屋垂直パネルの断面図である。
【図７】図１の排熱通路囲い込みシステム用のＴ形横材の斜視図である。
【図８】図７のＴ形横材の一部の側面図である。
【図９】図７のＴ形横材の端部の拡大斜視図である。
【図１０】図９のＴ形横材の端面図である。
【図１１】図１の排熱通路囲い込みシステム用の代替的なＴ形横材の一端の斜視図である。
【図１２】図１１のＴ形横材の端面図である。
【図１３】図１の排熱通路囲い込みシステム用の代替的な横梁の一端部の斜視図である。
【図１４】図１３の横梁の端面図である。
【図１５】天井照明具ボックスフレームを支持する図１０のＴ形横材の端面図である。
【図１６】図３の小部屋垂直パネル上に配置した図７のＴ形横材の一部の斜視図である。
【図１７】図１６の細部１７の拡大斜視図である。
【図１８】図１７の締め具と螺子の底部斜視図である。
【図１９】最小排熱通路幅向けの装着孔位置を示す図６の直角スペーサバーの一部の上面図である。
【図２０】最大排熱通路幅向けの装着孔位置を示す図６の直角スペーサバーの一部の上面図である。
【図２１】非ロック位置にある締め具を用いて天井パネルを支持する図１０のＴ形横材の端面図である。
【図２２】ロック位置にある締め具を用いて天井パネルを支持する図１０のＴ形横材の端面図である。
【図２３】図１のドア組立体の一部の拡大斜視図である。
【図２４】図７の２つのＴ形横材間に装着した副Ｔ形横材を示す図１の排熱通路囲い込みシステムの一部の拡大斜視図である。
【図２５】図７の２つのＴ形横材間に装着する前の副Ｔ形横材を示す図２４の細部２５の分解斜視図である。
【図２６】図７の２つのＴ形横材間に装着した火災抑制Ｔ形横材を示す図１の排熱通路囲い込みシステムの一部の拡大斜視図である。
【図２７】図７の２つのＴ形横材間に装着する前の火災抑制Ｔ形横材を示す図２６の細部２７の分解斜視図である。
【図２８】図７の２つのＴ形横材の間に装着した照明具Ｔ形横材を示す図１の排熱通路囲い込みシステムの一部の拡大底面斜視図である。
【図２９】図２８の照明具Ｔ形横材の上面斜視図である。
【図３０】図７の２つのＴ形横材間に一体型照明具が装着され、副Ｔ形横材間に空気ダクトを組み込む前の２つの火災抑制Ｔ形横材を示す図１の排熱通路囲い込みシステムの一部の斜視図である。
【図３１】副Ｔ形横材間に組み込んだ３つの空気ダクトを示す図３０の排熱通路囲い込みシステムの上面図である。
【図３２】開放位置にある１枚の天井パネルを示す図３１の排熱通路囲い込みシステムの端面図である。
【図３３】追加の小部屋に小部屋垂直パネルを固定した後であって、小部屋垂直パネルと小部屋に未加工垂直パネルを取り付ける前の図１の排熱通路囲い込みシステムの斜視図である。
【図３４】図１の排熱通路囲い込みシステム用の代替的なドア組立体の斜視図である。
【図３５】図３４のドア組立体用のドアフレームの斜視図である。
【図３６】図３５のドアフレームの一部の分解正面斜視図である。
【図３７】図３５のドアフレームの一部の分解背面斜視図である。
【図３８】図３４のドア組立体の横梁の拡大斜視図である。
【図３９】図３８の横梁の一部の斜視図である。
【図４０】網状配置小部屋の頂部キャップに横梁を取り付ける前の図３８の横梁の一部の分解斜視図である。
【図４１】網状配置小部屋の底部に側部スカートを取り付ける前の図３４のドア組立体用の側部スカートの分解斜視図である。
【図４２】網状配置小部屋の底部に側部スカートを取り付けた後の図４１の側部スカートの斜視図である。
【図４３】下側支柱支持体と側部スカートとにドアフレームを取り付ける前の図３４のドア組立体の一部の分解斜視図である。
【図４４】横梁にドアフレームを取り付けた後の図３４のドア組立体の一部の正面斜視図である。
【図４５】横梁にドアフレームを取り付けた後の図４４の横梁の背面斜視図である。
【図４６】横梁とヘッダとを覆ってカバーを配置する前の図３４のドア組立体の一部分解斜視図である。
【図４７】伸縮式垂直パネルを有する図１の排熱通路囲い込みシステムの斜視図である。
【図４８】小部屋に装着した図４７の伸縮式垂直パネルの背面の斜視図である。
【図４９】図４８の伸縮式垂直パネルの上側パネル側面ガスケットと下側パネルの斜視図である。
【図４９ａ】非圧縮状態にある図４９の管ガスケットの断面図である。
【図４９ｂ】圧縮状態にある図４９の管ガスケットの断面図である。
【図５０】襞付きエッジを有する図４８の伸縮式垂直パネルの下側パネルの斜視図である。
【図５１】小部屋に装着した図４７の伸縮式垂直パネルの正面斜視図である。
【図５２】図５１の下側パネルに取り付けた爪組立体の斜視図である。
【図５３】図５１の伸縮式垂直パネルの爪およびロッド組立体の斜視図である。
【図５４】図５３の爪およびロッド組立体の断面図である。
【図５５】図４７の伸縮式垂直パネルの正面斜視図である。
【図５６】図４７の伸縮式垂直パネルの装着タブの斜視図である。
【図５７】ドア組立体に固定した図４７の伸縮式垂直パネルの正面図である。
【図５８】ドア組立体に固定した図５７の伸縮式垂直パネルの断面図である。
【図５９】ドア組立体の上方に固定した図５７の伸縮式垂直パネルの側面斜視図である。
【図６０】小部屋のエッジに沿って装着した代替的な伸縮式垂直パネルの斜視図である。
【図６１】図６０の伸縮式垂直パネルのフランジ内スロットの正面図である。
【図６２】図６１の伸縮式垂直パネルのフランジ内スロットの正面図である。
【図６３】ボルトとナットにより互いに固定した図６０の伸縮式垂直パネルの下側パネルおよび上側パネルの一側面の斜視図である。
【図６４】図６３の伸縮式垂直パネルの側面の上面図である。
【発明を実施するための形態】
【０００４】
図１〜図３３は、本発明の一実施形態になる排熱通路囲い込みシステム４０を示す。図１に示す如く、排熱通路囲い込みシステム４０は３つの等幅の小部屋４６（８００ｍｍが図示）からなる２つの列４２，４４に装着されている。しかしながら、小部屋の幅は６００ｍｍと７００ｍｍと８００ｍｍの任意の組み合わせとすることができる。好ましくは、排熱通路幅は６フィートである。排熱通路囲い込みシステム４０は、各列４２，４４の各端部にあるドア組立体４８と、小部屋垂直パネルと、ドアフレーム垂直パネルと、Ｔ形横材と、天井パネルとを含んでいる。
【０００５】
図３は、Ｐａｎｄｕｉｔ  Ｃｏｒｐ．社のＮｅｔ−Ａｃｃｅｓｓ（登録商標）小部屋等の小部屋の頂部に取り付ける垂直パネル５０を示す。垂直パネル５０は、小部屋の頂部にある標準的な装着孔に適合する底面上の３つの装着スタッド５２を含んでいる。一対の押出成形雌螺子孔５４は、Ｔ形横材を頂部フランジ５６に固定するため垂直パネル５０の頂部フランジ５６上に１００ｍｍ間隔で離間しており、何故なら１００ｍｍは小部屋幅６００ｍｍと７００ｍｍと８００ｍｍの最大公約数だからである。１つの構成では、各雌螺子孔５４の間の間隙は５０ｍｍとされる。垂直パネル５０はまた、その側面フランジ６０上に隣接する垂直パネル５０を固定するため押出成形雌螺子孔５８を含んでいる。
【０００６】
図４は、Ｐａｎｄｕｉｔ  Ｃｏｒｐ．社のＮｅｔ−Ａｃｃｅｓｓ（登録商標）小部屋等の小部屋の頂部に取り付ける垂直パネル６２を示す。垂直パネル６２は、垂直パネル６２を対応幅の小部屋の頂部にボルト止めするのに用いる底部フランジ６６上に２つの装着孔６４を含んでいる。底部フランジ６６はまた、小部屋の頂部をフレームに取り付ける締結具の頭部周りに遊隙を見込んだ３つの遊隙孔６８を含んでいる。具体的には、Ｐａｎｄｕｉｔ  Ｃｏｒｐ．社のＮｅｔ−Ａｃｃｅｓｓ（登録商標）小部屋は小部屋の頂部上方ほぼ３／１６インチに起立する座金付きボルトを有する。一対の押出成形雌螺子孔７０は、頂部フランジ７２にＴ形横材を固定するため垂直パネル６２の頂部フランジ７２上に１００ｍｍ間隔で離間しており、何故なら１００ｍｍは小部屋幅６００ｍｍと７００ｍｍと８００ｍｍの最大公約数だからである。１つの構成では、各雌螺子孔７０の間隔は５０ｍｍとされる。垂直パネル６２はまた、隣接する垂直パネル６２を固定するためその側面フランジ７６上に押出成形雌螺子孔７４を含んでいる。
【０００７】
図５と図６に示す如く、垂直パネル５０は頂部フランジ５６に螺子８０を用いて装着される直角スペーサバー７８を有している。直角スペーサバー７８は、６００ｍｍと７００ｍｍと８００ｍｍの垂直パネルに対応させて寸法を変えることができる。フランジ８２の肉厚はＴ形横材８６のフランジ８４と同じ肉厚であり、そのことで天井パネル８８の周縁を封止する偏平面が生まれる。直角スペーサバー７８はまた、天井パネル８８を適当な位置に収容する当り止め９０を備える。
【０００８】
図７〜図１４は、２つのＴ形横材と横梁とを示す。図７〜図１０は、Ｔ形横材８６を示す。図１１と図１２は、Ｔ形横材９２を示す。図１３と図１４は、横梁９４を示す。
【０００９】
図９と図１０は、中心垂直ウェブ９６の左右各側にフランジ８４を有するＴ形横材８６を示す。中心垂直ウェブ９６は荷重を受けたＴ形横材８６の撓みを最小化する強度と剛性とを備え、フランジ８４が天井パネル８８を支えている。図７と図８に示す如く、中心垂直ウェブ９６には副Ｔ形横材をＴ形横材８６に固定する装着孔９８を含めることができる。好ましくは、Ｔ形横材８６は幅１．５インチであり、各フランジ８４が幅０．６２５インチで、中心垂直ウェブ９６が幅０．２５インチである。また、Ｔ形横材８６は好ましくは高さ１．５５インチである。図１０に最もよく見てとれるように、中心垂直ウェブ９６の頂点に継ぎ目１００が位置している。
【００１０】
図１１と図１２は、Ｔ形横材９２を示す。Ｔ形横材９２は、継ぎ目１０２がＴ形横材９２のフランジ側面に位置する点を除きＴ形横材８６と同じである。
【００１１】
図１３と図１４は、横梁９４を示す。横梁９４は、Ｔ形横材８６，９２よりも幅広である。好ましくは、Ｔ形横材９４は幅２．３９インチであり、各フランジ１０４が幅０．６２５インチで、中心垂直ウェブ１０６が幅１．１４インチである。
【００１２】
高床環境にあっては、排熱通路囲い込み装置用に天井ダクトや格子が一切不要である。しかしながら、平板床環境にあっては、ダクトが必要であり、天井の照明具が必要となろう。図１５は、Ｔ形横材８６の輪郭が標準的な蛍光照明灯を収容する標準的な懸垂天井照明具フレーム１０８に適合することを示している。
【００１３】
図１に示す排熱通路囲い込みシステム４０は、３つの等幅の小部屋４６（８００ｍｍ）からなる２列４２，４４を含んでいる。垂直パネル５０または６２により、１００ｍｍの倍数である任意の天井タイル幅と組み合わせ、１００ｍｍの倍数である任意の小部屋幅の使用が可能である。図１６に最もよく見てとれるように、８００ｍｍの直角スペーサバーは８００ｍｍ天井パネル８８と共に用いられ、６００ｍｍ直角スペーサバーは６００ｍｍ天井パネル８９と共に用いられる。
【００１４】
排熱通路囲い込みシステム内に小部屋を組み込む場合、必要とされる若干大きな裕度が存在する。それらの例には、床面の平坦度や、床面に対する小部屋の垂直性や、許容可能な製造公差や、材料のばらつきが含まれる。これらの裕度に対処するため、図１７に示す如くＴ形横材８６を垂直パネル５０に固定するのに締め具１１０と螺子１１２を用いることができる。締め具１１０が緩んでいるときに、他のＴ形横材に対しＴ形横材８６を適切に配置することができる。Ｔ形横材８６を適切に配置すると、螺子１１２を締めてＴ形横材８６を垂直パネル５０に固定することができる。図１８に最もよく見てとれるように、接触面１１４は溝付きとするか肌理を持たせ、追加の締結強度とグラウンド接続とをもたらすことができる。また、フランジ８４には締め具１１０とＴ形横材８６との間の接地を改善する非被覆領域１１６を含めることができる。
【００１５】
図１９と図２０は、それぞれ排熱通路幅の最小位置と最大位置を示す。排熱通路幅の公差は０．６２５インチで、左右各側でほぼ０．３１３インチである。かくして、最小位置において、排熱通路幅はほぼ７１．６８７インチである。最大位置において、排熱通路幅はほぼ７２．３１３インチである。
【００１６】
図２１と図２２は、Ｔ形横材８６に固定する天井パネル８８を示す。天井パネル８８は各隅に孔を有しており、天井パネル８８はＴ形横材８６のいずれかのフランジ８４上に配置される。１／４回転押し下げ保持締め具１１８が天井パネル８８の隅に装着してあり、締め具１１８は非ロック位置からロック位置まで９０度回動させる。
【００１７】
図２３は、ドア組立体４８を示す。２つの支柱１２０が、床面から垂直パネル１２１の頂部まで延在する。ドアの頂部１２４上で支柱１２０の間に、梁１２２が配置される。垂直パネル１２１は梁１２２の頂部にボルト止めされ、垂直パネル１２１は支柱１２０にボルト止めされる。Ｔ形横材８６は、垂直パネル１２１の頂部に締結される。
【００１８】
図２４と図２５は２つのＴ形横材８６の間に装着され、天井パネル８８をより取り扱い易くする２枚のより小さなパネルに分割する。Ｔ形横材１２６は、Ｔ形横材８６を固定する孔１３０を含む端部フランジ１２８を有する。Ｔ形横材８６はＴ形横材１２６を複数の場所に装着するための複数の孔９８を有しており、Ｔ形横材１２６は２つのＴ形横材８６間に落ち込むよう切削した下側フランジ１３４を有し、全てのフランジが同一平面内に置けるようにしてある。天井パネル８８は、Ｔ形横材１２６の場所に応じて様々な寸法に切削することができる。
【００１９】
図２６と図２７は、２つのＴ形横材８６間に装着した火災抑制Ｔ形横材１３６を示す。Ｔ形横材１３６は、火災抑制構成要素を頭上から排熱通路囲い込み領域内に侵入させるアクセス孔１３８を有する。好ましくは、アクセス孔１３８は３インチの直径を有する。Ｔ形横材１３６は、図２４と図２５に記した副Ｔ形横材１２６と同じ孔９８内のＴ形横材８６にボルト止めすることができる。Ｔ形横材１３６は、２つのＴ形横材８６間に落ち込むよう切削した下側フランジ１４０を有し、全てのフランジが同一平面内に置けるようにしてある。天井パネル８８は、Ｔ形横材１３６の場所に応じて様々な寸法に切削することができる。
【００２０】
図２８と図２９は、２つのＴ形横材８６の間に装着した照明具Ｔ形横材１４２を示す。Ｔ形横材１４２は、Ｔ形横材８６間の距離全体に跨がって排熱通路内の光を最大化する一体型照明具１４４を有する。レンズ１４６は、図２８に示す如く、排熱通路囲い込み天井と面一としてある。
【００２１】
図３０は、Ｔ形横材８６間に装着される空気ダクト１４８を示す。一体型照明具を有する２つの火災抑制Ｔ形横材１５０は、封止と追加の支持をするため空気ダクト１４８の側面上でＴ形横材８６にボルト止めされる。天井パネル１５２は、残りの部分を封止し、天井領域上方へのアクセスを提供するよう組み込むことができる。Ｔ形横材１５０は、このＴ形横材１５０が火災抑制構成要素を頭上から排熱通路囲い込み領域内に侵入させられるようにする２つのアクセス孔１５４を有する点を除き、Ｔ形横材１３６とＴ形横材１４２の組み合わせである。照明具は火災抑制構成要素間に配置され、排熱通路を照明する。
【００２２】
図３１は、排熱通路囲い込みシステム４０内に組み込む複数の空気ダクト１４８を示す。空気ダクト１４８は、空気取り扱い要件に応じて様々な寸法とすることができる。未使用のアクセス孔１５４は封止することとし、照明具１５５は排熱通路内に追加の照明を提供する。図３２に最もよく見てとれるように、天井パネル１５２は電力バス１５６を含ませることのできる排熱通路囲い込み領域の上方の領域へのアクセスを提供するよう離床させることができる。
【００２３】
排熱通路囲い込みシステム内に複数幅の小部屋が存在する場合、未加工の垂直パネル１５８が必要になるようである。好ましくは、未加工垂直パネル１５８は１００ｍｍ幅である。図３３は、列４２に追加する６００ｍｍ幅の小部屋１６０と列４４に追加する７００ｍｍ幅の小部屋１６２を示す。かくして、未加工垂直パネル１５８は小部屋１６０に固定され、２列の長さを７００ｍｍに等化する。しかしながら、各列４２，４４は３室の８００ｍｍ幅の小部屋４６で構成される。排熱通路囲い込みシステム全体を通じて同じ天井パネル幅（８００ｍｍ）を維持すべく、１枚の未加工垂直パネル１５８を小部屋１６２に固定し、１枚の未加工垂直パネル１５８を未加工垂直パネル１５８に固定する。
【００２４】
図３４〜図４６は、ドア組立体２００を示す。好ましくは、各ドア２０２は半窓２０４を有する標準的な３６インチ鋼製ドアである。ドア２０２は握持開放機能を有するドアクローザ２０６を有しており、ラッチやロックはしない。しかしながら、ドア２０２に対しラッチ機能やロック機能を追加することができる。図３４には一対の網状配置小部屋だけを図示したが、通常はより多くの小部屋が用いられ、囲い込み排熱通路の他端に別のドア組立体２００が配置される。ドア組立体２００は、６フィート離間する２列の小部屋に装着される。しかしながら、２列の小部屋は同じドア支柱で、ただしより幅狭のドアに合わせたより短いヘッダと横梁とカバーとを用い４フィート離間させることができる。
【００２５】
図３５〜図３７は、ドアフレーム２０８を示す。ドアフレーム２０８は、２本ドア支柱２１０とヘッダ２１２とを含んでいる。各支柱２１０は、図３６に示す如く、螺子２１４を用いてヘッダ２１２に取り付けられる。支柱２１０は、ヘッダ２１２に対し位置を規定する水平スロット２１６を有する。図３７に示す如く、ヘッダ２１２が正規の高さとなることを保証すべく、ヘッダ２１２の底部２１８をスロット２１６内に摺動させる。ドア支柱２１０背面のフランジに発泡材シールを取り付けることができ、この発泡材シールが小部屋の側面パネルに対し圧し当たる筈である。
【００２６】
図３８〜図４０は、横梁２２０を示す。横梁２２０は、ドアフレーム２０８上方の領域を囲い込み天井まで充たすパネルである。横梁２２０は、垂直囲い込み壁と小部屋頂部キャップに取り付けられる。横梁２２０は小部屋と壁に取り付けられるため、これは水平調整脚を調整する際に小部屋と共に上下に移動する。図３９に示す如く、排熱通路横断Ｔ形梁２２２が横梁２２０の頂部に取り付けられ、横梁２２０頂部を横断する開放縁２２４が梁２２２の１つの脚上に掛止される。開放縁２２４は、横梁２２０を小部屋頂部キャップ内の孔に取り付けるときの組み立て支援を提供する（図４０参照）。横梁２２０内の水平方向スロット２２６は調整可能性を提供し、これにより横梁２２０を左右に調整してドア支柱２１０が垂直となるよう保証することができる。
【００２７】
図４１〜４６は、ドア組立体２００を２列の網状配置小部屋の一端に取り付ける工程を示す。先ず、ブラケット２２８をドアシュー２３０に取り付け、ブラケット２２８内のスロット２３２によりドア支柱２１０を内外に調整してそれらが垂直となるよう保証することができる。小部屋側パネルはブラケット２２８の組み込みを容易にするよう取り除くことができるが、側面パネルは側部スカート２３４を取り付ける前に組み付けねばならない。次に、側部スカート２３４をブラケット２２８に取り付ける。側部スカート２３４は床面上に係止し、図４２に示す如く小部屋側面パネルに対し保持されて空気漏洩を阻止する。側部スカート２３４内の垂直スロット２３６により、側部スカート２３４を床面に当接させたまま、キャスタまたは水平調整脚により小部屋を床面から離床させることができる。側部スカート２３４底部上のフランジ２３８は、小部屋の下側にたくし込まれる。
【００２８】
図４２に示す如く、下側支柱支持体２４０は側部スカート２３４に取り付けられる。支持体２４０は、それを水平方向に調整できるようにするスロット２４２を有する。この調整により、たとえ小部屋が６フィートを僅かに上回るか下回るかして離間していても、ドア支柱２１０を６フィート離間させて装着できるようになる。次に、ドア支柱２１０を下側支柱支持体２４０上に配置し、図４３に示す如く螺子２４４を用いて取り付ける。次に、ドアフレーム２０８に横梁２２０を整列させ、図４５に示す如く囲い込み排熱通路の内側から横梁２２０に取り付ける。横梁２２０は垂直調整スロット２２７を有するため、小部屋上で水平調整脚を調整するのに合わせ横梁２２０の高さが調整可能である。ただし、ドアフレーム２０８は床面上に止まる。
【００２９】
図４６に示す如く、カバー２４６，２４８をヘッダ２１２と横梁２２０の上に取り付け、ドア組立体２００に清潔な美観をもたらす。最後に、ドア２０２とドアクローザ２０６とドア２０２用の周縁シールとをドアフレーム２０８に取り付け、ドア組立体２００を完成させる。ドア組立体２００は、同様の仕方で囲い込み排熱通路の他端に取り付けることができる。
【００３０】
図４７〜図５９は、排熱通路囲い込みシステムに取り付けた伸縮式垂直パネル３００を示す。伸縮式垂直パネル３００は、図１〜図４６に示したＴ形横材およびパネルの代りに屋根として既存の天井を用いる排熱通路囲い込みシステムに使用される。伸縮式垂直パネル３００は部屋天井まで延在し、排熱通路囲い込みシステム内での熱気と冷気の混合を低減する。伸縮式垂直パネル３００は、幅６００ｍｍと幅７００ｍｍと幅８００ｍｍの小部屋の任意の組み合わせで使用することができる。排熱通路幅は、４フィートまたは６フィートとすることができる。
【００３１】
図４８は、小部屋４６に固定した伸縮式垂直パネル３００を示す。伸縮式垂直パネル３００は、下側固定パネル３０２と上側パネル３０４とを含んでいる。下側パネル３０２は、２つのボルト３０６を用いて小部屋４６の頂部に取り付けられる。下側パネル３０２はまた、隣接下側パネル３０２を互いに接合する装着タブ３０８を含んでいる。
【００３２】
下側パネル３０２の側面３１０は、上側パネル３０４の周囲に巻き付けられて上側パネル３０４を支持し誘導するフランジ３１２を含んでいる。
【００３３】
下側パネル３０２の側面３１０と上側パネル３０４の側面３２０は、それぞれ隣接する垂直パネル３００との間にシールをもたらすガスケット３１６，３２２を含んでいる。ガスケット３２４はまた上側パネル３０４の頂部に取り付けられ、上側パネル３０４を部屋天井に対し封止する。頂部ガスケット３２４は、部屋天井（図示せず）に当接したときに圧縮されることになる。
【００３４】
図４９〜図５０は、上側パネル側面ガスケット３２２と下側パネル３０２との境界を示す。下側パネル３０２の側面ガスケット３１６は、静止している。上側パネルの側面ガスケット３２２は、下側パネル３０２のフランジ３１２が形成するキャビティ３１４内に摺動する。図４９に示す如く、上側パネル３０４の側面ガスケット３２２を面取りし、側面ガスケットをキャビティ３１４内に摺動させ易くすることができる。図４９ａは非圧縮状態にある上側パネル３０４の側面ガスケット３２２を示し、図４９ｂはキャビティ３１４内に圧縮された上側パネル３０４の側面ガスケット３２２を示す。上側パネル３０４の側面ガスケット３２２は、圧縮された側面ガスケット３２２が下側パネル３０２のフランジ３１２と干渉しないよう小振りの幅としてある。例えば、上側パネル側面ガスケットの幅は０．５インチとすることができ、襞エッジを含まないキャビティ幅を０．７５インチとし、圧縮されたガスケットに対し左右各側で０．１２５インチの裕度を残す。
【００３５】
図５０は、上側パネル３０４の矩形側面ガスケット３２２のキャビティ３１４内への誘導に役立つよう襞付きとしたエッジ３１８を有する下側パネル３０２を示す。
【００３６】
図５１〜図５４は、延出位置にある伸縮式垂直パネル３００の上側パネル３０４を固定する爪組立体３３０を示す。爪組立体３３０は、共有する米国特許出願第１２／７３１，８７７号に開示された爪組立体に類似する。爪組立体３３０は、伸縮式垂直パネル３００の下側パネル３０２に取り付けられる。爪組立体３３０は、チャネル３３２と、爪歯３３６と封鎖レバー３３８とを有する爪レバー３３４とを含んでいる。封鎖レバー３３８は、爪レバー３３４が偶発的に起動されて上側パネル３０４を解放するのを阻止する。
【００３７】
偏平バー３４０が、上側パネル３０４に取り付けられている。図５３と図５４に示す如く、偏平バー３４０は爪組立体３３０のチャネル３３２内に配置される。爪レバー３３４上の爪歯３３６が偏平バー３４０を把持し、上側パネル３０４が垂直方向に移動するのを阻止している。上側パネル３０４を降下させるには、垂直パネル３００に向け爪レバー３３４を押動する。爪レバー３３４が回動すると、爪歯３３６が偏平バー３４０から離脱させられ、上側パネル３０４を下動させることができる。爪組立体３３０が偏平バー３４０の底部３４２に係止すると、上側パネル３０４と下側パネル３０２との間に４インチの重複部分が生ずる。
【００３８】
図５５は、排熱通路囲い込みシステム内の小部屋４６に固定した隣接する伸縮式垂直パネル３００の正面図である。隣接する下側パネル３０２は、装着タブ３０８により互いに固定される。上側パネル３０４を一旦部屋天井まで延在させると、編成ブラケット３２６が隣接上側パネル３０４にボルト止めされ、垂直パネル３００を一直線上に保ち、垂直パネル３００間の空隙を最小化する。
【００３９】
図５６は、パネル装着タブ３０８を示す。装着タブ３０８は、隣接する下側パネル３０２を互いに固定するのに用いられる。
【００４０】
図５７と図５８は、ドア組立体２００の上方に装着する伸縮式垂直パネル３００を示す。伸縮式垂直パネル３００は、ドア組立体２００のヘッダ２１２に取り付けた屈曲ブラケット３５０に取り付けられる。
【００４１】
図５９は、小部屋４６上方の垂直パネル３００とシールを形成するドアパネルの側面ガスケットを示す。パネル間ブラケット３５２により、２つのパネル装着タブ３０８を用いてドアパネルを下側パネル３０２へ固定できるようになる。
【００４２】
図６０〜図６４は、小部屋４６に装着する代替的な伸縮式垂直パネル４００を示す。垂直パネル４００は、固定下側パネル４０２と可調整上側パネル４１２とを含んでいる。下側パネル４０２は、装着フランジ４０４を介して小部屋４６のエッジ沿いに装着される。下側パネル４０２と上側パネル４１２はそれぞれ、フランジ４０８，４１６をそれぞれ有する側面４０６，４１４を含んでいる。フランジ４０８，４１６の肉厚を増大させ、垂直パネル４００に対する安定性をもたらすことができる。下側パネル４０２の側面４０６が、上側パネル４１２の側面４１４を受容する（図６４参照）。上側パネル４１２はまた、上側パネル４１２の頂部沿いに配置される発泡材シール４２０を含んでいる。発泡材シール４２０により、上側パネル４１２は部屋天井とシールを形成することができる。
【００４３】
下側パネル４０２のフランジ４０８と上側パネル４１２のフランジ４１６はそれぞれ、複数のスロット４１０，４１８をそれぞれ含んでいる。スロット４１０，４１８は、Ｗ未満の直径を有するボルト４３０あるいは他の締結具を受容するよう設計された幅「Ｗ」を有する。スロット４１０，４１８は、スロット４１０，４１８の底部からのスロット４１０，４１８の頂部までの距離が「Ｓ＋２Ｗ」となるよう、互いに長さ「Ｓ」だけ離間させて配置される。
【００４４】
図６２と図６３に示す如く、上側パネル４１２を持ち上げたときに、スロットが整列して上側パネル４１２を下側パネル４０２に固定するボルト４３０を受容する開口が生まれる。
【符号の説明】
【００４５】
４０  排熱通路囲い込みシステム
４６  小部屋
５０  垂直パネル
２００  ドア組立体
３００  伸縮式垂直パネル
３０２  下側パネル
３０４  上側パネル
３０８  装着タブ
３１２  フランジ
３１４  キャビティ
３１６  側面ガスケット
３１８  エッジ
３２２  側面ガスケット
３２４  頂部ガスケット
３２６  編成ブラケット
３３０  爪組立体
３３２  チャネル
３３４  爪レバー
３３６  爪歯
３３８  封鎖レバー
３４０  偏平バー
【図１】
2013526779.tif 000003
【図２】
2013526779.tif 000004
【図３】
2013526779.tif 000005
【図４】
2013526779.tif 000006
【図５】
2013526779.tif 000007
【図６】
2013526779.tif 000008
【図７】
2013526779.tif 000009
【図８】
2013526779.tif 000010
【図９】
2013526779.tif 000011
【図１０】
2013526779.tif 000012
【図１１】
2013526779.tif 000013
【図１２】
2013526779.tif 000014
【図１３】
2013526779.tif 000015
【図１４】
2013526779.tif 000016
【図１５】
2013526779.tif 000017
【図１６】
2013526779.tif 000018
【図１７】
2013526779.tif 000019
【図１８】
2013526779.tif 000020
【図１９】
2013526779.tif 000021
【図２０】
2013526779.tif 000022
【図２１】
2013526779.tif 000023
【図２２】
2013526779.tif 000024
【図２３】
2013526779.tif 000025
【図２４】
2013526779.tif 000026
【図２５】
2013526779.tif 000027
【図２６】
2013526779.tif 000028
【図２７】
2013526779.tif 000029
【図２８】
2013526779.tif 000030
【図２９】
2013526779.tif 000031
【図３０】
2013526779.tif 000032
【図３１】
2013526779.tif 000033
【図３２】
2013526779.tif 000034
【図３３】
2013526779.tif 000035
【図３４】
2013526779.tif 000036
【図３５】
2013526779.tif 000037
【図３６】
2013526779.tif 000038
【図３７】
2013526779.tif 000039
【図３８】
2013526779.tif 000040
【図３９】
2013526779.tif 000041
【図４０】
2013526779.tif 000042
【図４１】
2013526779.tif 000043
【図４２】
2013526779.tif 000044
【図４３】
2013526779.tif 000045
【図４４】
2013526779.tif 000046
【図４５】
2013526779.tif 000047
【図４６】
2013526779.tif 000048
【図４７】
2013526779.tif 000049
【図４８】
2013526779.tif 000050
【図４９】
2013526779.tif 000051
【図４９ａ】
2013526779.tif 000052
【図４９ｂ】
2013526779.tif 000053
【図５０】
2013526779.tif 000054
【図５１】
2013526779.tif 000055
【図５２】
2013526779.tif 000056
【図５３】
2013526779.tif 000057
【図５４】
2013526779.tif 000058
【図５５】
2013526779.tif 000059
【図５６】
2013526779.tif 000060
【図５７】
2013526779.tif 000061
【図５８】
2013526779.tif 000062
【図５９】
2013526779.tif 000063
【図６０】
2013526779.tif 000064
【図６１】
2013526779.tif 000065
【図６２】
2013526779.tif 000066
【図６３】
2013526779.tif 000067
【図６４】
2013526779.tif 000068
【国際調査報告】
2013526779.tif 000069
2013526779.tif 000070
2013526779.tif 000071